(57)【特許請求の範囲】
【請求項１】
サーバシステムが実行する情報提供方法であって、
予めレコード情報を蓄積した検索データベースを備え、
特定のユーザー端末から検索リクエストがあったときに、前記特定のユーザー端末から受信した検索条件データに基づいて前記検索データベースからレコード情報を抽出するとともに、抽出したレコード情報を特定のソート条件で並び替えた検索結果リストを前記特定のユーザー端末に送信するものであって、
更に、前記検索データベースに蓄積されたレコード情報のうちの特定のレコード情報について所定のユーザー端末が入金処理を行ったときに、当該入金処理に係る入金額を前記特定のレコード情報と紐付けて前記検索データベースに登録することで、前記検索データベースには入金処理が実行されたレコード情報と入金処理が実行されていないレコード情報が混在し、
また、任意のユーザー端末からの検索リクエストに応じて検索結果リストを送信するときに、前記入金額に係る情報を検索結果リストに付加して送信することにより、前記任意のユーザー端末において前記特定のソート条件で並び替えた検索結果リストの順序を変更することなく前記入金額に応じてレコード情報を強調表示可能に形成したことを特徴とする、情報提供方法。
【請求項２】
請求項１記載の情報提供方法で提供された情報を表示する、ユーザー端末が実行する情報表示方法であって、
検索結果リストの情報を受信したときに、この検索結果リストに含まれるレコード情報をブラウザに一覧表示するとともに、前記入金額に応じたレコード情報の強調表示を行い、
更に、前記一覧表示されたレコード情報のうちの１つまたは複数を選択して入金処理を実行可能に形成されていることを特徴とする、情報表示方法。
【発明の詳細な説明】
【技術分野】
【０００１】
本発明はインターネットの情報の提供方法及び表示方法に関する。詳しくは、インターネットを通じてウェブブラウザ上に情報を表示する際に、任意の情報についての差別的表示を可能とする情報の提供方法及び表示方法に関する。
【背景技術】
【０００２】
従来から、リスティング連動型広告という技術があった。これは、リスティング情報の表示の際に、予め用意された広告の中からリスティング情報に関係がある広告を選出し、リスティング情報とは別の場所、広告のために割り振られたエリアに掲載するものである。複数の広告の掲載要求があった場合、それぞれの掲載位置は入札金額の多寡に依存して変更され、すなわち、入札金額が多い広告が有利な掲載位置を得られるというものであった。
【先行技術文献】
【特許文献】
【０００３】
【特許文献１】特許第３６７６９９９号公報
【発明の概要】
【発明が解決しようとする課題】
【０００４】
しかし、上記した従来の方法は、予め広告主は、広告としての原稿を用意しなければなかった。
【０００５】
また、広告又は広告群は、一般情報群と区別された位置に表示されるため、ユーザーからは容易に広告情報であると認識され、あるいは一般情報群との関連性が認知されにくく、情報価値を限定されるおそれがあり、広告効率を低下させる原因となりかねなかった。
【０００６】
また、リスティングされた情報と広告とを並列的に扱ってリスティングあるいはソートすることは不可能であり、この点でも広告の利用および注目の機会は限定的であった。
【０００７】
そこで本発明は、広告主が特に広告情報を用意することなく広告を開始することができるとともに、広告効率を向上させることが可能な情報提供方法又は情報表示方法を提供することを課題とする。
【課題を解決するための手段】
【０００８】
本発明は、上記した課題を解決するためになされたものである。以下、各請求項にそれぞれ記載された発明の特徴を説明する。
【０００９】
（請求項１）
請求項１に記載の発明は、以下を特徴とする。
【００１０】
すなわち、請求項１に記載の発明は、サーバシステムが実行する情報提供方法であって、予めレコード情報を蓄積した検索データベースを備え、特定のユーザー端末から検索リクエストがあったときに、前記特定のユーザー端末から受信した検索条件データに基づいて前記検索データベースからレコード情報を抽出するとともに、抽出したレコード情報を特定のソート条件で並び替えた検索結果リストを前記特定のユーザー端末に送信するものであって、更に、前記検索データベースに蓄積されたレコード情報のうちの特定のレコード情報について所定のユーザー端末が入金処理を行ったときに、当該入金処理に係る入金額を前記特定のレコード情報と紐付けて前記検索データベースに登録することで、前記検索データベースには入金処理が実行されたレコード情報と入金処理が実行されていないレコード情報が混在し、また、任意のユーザー端末からの検索リクエストに応じて検索結果リストを送信するときに、前記入金額に係る情報を検索結果リストに付加して送信することにより、前記任意のユーザー端末において前記特定のソート条件で並び替えた検索結果リストの順序を変更することなく前記入金額に応じてレコード情報を強調表示可能に形成したことを特徴とする。
【００１１】
（請求項２）
請求項２に記載の発明は、以下を特徴とする。
【００１２】
すなわち、請求項２に記載の発明は、請求項１記載の情報提供方法で提供された情報を表示する、ユーザー端末が実行する情報表示方法であって、検索結果リストの情報を受信したときに、この検索結果リストに含まれるレコード情報をブラウザに一覧表示するとともに、前記入金額に応じたレコード情報の強調表示を行い、更に、前記一覧表示されたレコード情報のうちの１つまたは複数を選択して入金処理を実行可能に形成されていることを特徴とする。
【発明の効果】
【００１３】
本発明は上記の通りであり、入金処理が実行されたレコード情報はユーザー端末において強調表示が可能となっている。このため、この強調表示されるレコード情報に広告的効果を持たせることが可能となっており、すなわち、データベースに予め蓄積されたレコード情報に広告的効果を持たせることが可能となっているため、広告主が特に広告情報を用意することなく広告を開始することができる。
【００１４】
また、入金処理が実行されたか否かにかかわらず、すなわち、広告的情報であるか否かにかかわらず、等しくレコード情報として扱われるため、広告的情報を検索結果情報と同じ掲載エリア内に表示することができ、検索者が広告を目にする機会やクリックする機会を向上させることができる。
【００１５】
また、広告的情報とそれ以外の情報とが等しくレコード情報として扱われていることの効果として、これらの情報を任意の条件で一括してソートできることとなっている。すなわち、検索者がソート条件を指定できるように構成することにより、検索者が要求する並び替えを実行することができ、検索者にとってもより速く目的の情報に到達できるため、利便性が高いシステムを提供できる。
【００１６】
また、請求項２記載の発明によれば、検索結果として表示されたレコード情報に対して入金処理を実行することができるため、インターフェースの一貫性を保つことができるとともに、システムの開発コストを下げることができる。
【図面の簡単な説明】
【００１７】
【図１】ネットワークの構成図（方式１）
【図２】検索データベースに蓄積されたレコード情報の説明図
【図３】ユーザー端末のブラウザに表示される画面の説明図
【図４】掲載エリアにレコード情報を表示した場合の説明図
【図５】掲載エリアのグリッド図
【図６】掲載エリアにレコード情報を表示する過程の説明図
【図７】並び替え、検索条件を変更した場合の掲載エリアの説明図
【図８】コマの大きさで強調表示を実行する変形例の説明図
【図９】色・コントラストで強調表示を実行する変形例の説明図
【図１０】ネットワークの構成図（方式２）
【図１１】ネットワークの構成図（方式１と方式２とが混在）
【図１２】検索結果リストを例示する図
【図１３】中間リストを例示する図
【図１４】強調表示の概念図
【発明を実施するための形態】
【００１８】
図１は本発明の実施形態に係るネットワークの構成図を示す。
【００１９】
この図１に示すように、ユーザー端末１とウェブサーバー２及び情報管理サーバー３とはインターネットを介して接続されている。そして、情報管理サーバー３は、少なくとも各処理を実行するコンピュータと、ウェブページごとのレコード情報を予め蓄積したデータベース４とを備えており、これにより、この情報管理サーバー３が、本発明の特許請求の範囲に言う「サーバシステム」を構成している。
【００２０】
以下、図１を見ながら、本実施形態における情報提供及び情報表示の流れの一例について説明する。
【００２１】
まず、検索者はユーザー端末１上で動作するウェブブラウザを使用してウェブサーバー２にアクセスする。これにより、ユーザー端末１は、ウェブサーバー２からページＦ１を取得する。このページＦ１には、後述するように、検索結果を表示するための情報掲載エリア、検索キーワード入力フィールド、並び換えの指示ボタン、検索実行ボタン、及び検索結果の表示プログラム（ＪａｖａＳｃｒｉｐｔ（登録商標）で記述）が埋め込まれている。
【００２２】
ページＦ１を受け取ったユーザー端末１は、このページＦ１をウェブブラウザに表示する。
【００２３】
検索者は、表示されたページＦ１上に現れた検索キーワード入力フィールドに検索条件を入力し、その後、検索実行ボタンを押す。これにより、ユーザー端末１は、情報管理サーバー３から検索条件に合致する検索結果を取得する。この検索結果は、情報管理サーバー３のデータベース４に保存されているレコード情報のリストＤ１から抽出されたレコード情報の束であり、それぞれのレコード情報には、表示位置と強調度合の計算に使用される情報が含まれている。
【００２４】
ユーザー端末１は、情報管理サーバー３からこの検索結果を取得すると、これをブラウザ上の情報掲載エリアに表示する。具体的には、後述する各レコード情報の情報テキストが、ブラウザ上の情報掲載エリアに列挙表示されることとなる。このとき、各レコード情報に含まれる情報に基づいて、情報テキストの表示位置と強調度合の表現属性値とが計算される。
【００２５】
そして、検索者は、より詳しい情報を得たいと思う情報テキストが存在すれば、これをクリックすることにより、当該レコード情報に関連付けられたウェブページへと移動することができるようになっている。
【００２６】
図２は情報管理サーバー３のデータベース４に保存されているレコード情報のリストＤ１の一例を示している。
【００２７】
このレコード情報のリストＤ１は、インターネット上のウェブページから機械的に抽出され、またはシステムが用意する登録ツールによって任意のユーザーが登録した、または検索及び広告配信サービスの提供者が登録した情報である。更には、後述するように、レコード情報に対して入金処理を行うことにより登録された広告の情報も含まれる。このリストＤ１の各行が１つのレコード情報を示しており、各レコード情報は、ユーザー端末１のブラウザ上に表示する情報テキスト、当該レコード情報に関連するウェブページを指示するＵＲＬ、情報テキストに付属してまたは情報テキストに代えて表示する画像を指示するＵＲＬ、検索者が指定するキーワードと照合するキーワード、情報特定のためにシステムが一意に設定する情報ＩＤ、当該レコード情報に係る表示がユーザー端末１のブラウザ上でクリックされた回数であるクリック数、関連ページの更新日情報、などの情報を有している。また広告主によって入金処理が行われたレコード情報には、その入金額の情報もレコード情報に付加される。
【００２８】
ここで本実施例に係る入金処理について説明する。
【００２９】
入金処理は、広告主がデータベース４に蓄積された特定のレコード情報を選択して金銭を支払うことにより実行されるものであり、これにより、特定のレコード情報に対して広告的効果を付与するためのものである。すなわち、この入金処理を行うことにより、当該特定のレコード情報がユーザー端末１のブラウザ上で表示される場合に、他のレコード情報と比較して強調して表示されることになる。この入金処理の際には、広告主は、ユーザー端末１のブラウザ上で表示される内容（情報テキスト）を変更することもできる。このため、単に機械的に収集されて表示される情報と比較してさらに目立つものとすることができる。
【００３０】
具体的には、例えば、ユーザー端末１において、まず入金処理モードにログインし、この入金処理モードにおいて入金処理を実行可能としても良い。すなわち、まず、この入金処理モードにおいて、上述したような検索処理を実行し、情報管理サーバー３から検索結果を取得する。そして、ブラウザの情報掲載エリアに検索結果が表示された後に、その中の１つまたは複数のレコード情報を選択して、入金処理を実行することとしても良い。このようにすれば、広告主は、広告を見る人と同じ内容を見ながら入金処理を行うことができ、また、システムの開発者もユーザインターフェースの開発工数を削減できる。
【００３１】
なお、入金処理時にユーザー端末１側で入力する具体的な内容としては、入金額、新しい画像ＵＲＬ（画像を変更する場合）、新しい情報テキスト（情報テキストを変更する場合）などとすることができる。また、入金処理に係る金銭の実際の支払いは、通常のインターネット上の商取引と同様に、クレジットカードや銀行振り込みなど、任意の手段を用いることができる。
【００３２】
このような入金処理が実行されると、その結果はユーザー端末１から情報管理サーバー３へと送信され、当該入金処理に係る入金額が当該入金処理に係るレコード情報と紐付けられて、データベース４に登録される。
【００３３】
なお、入金処理のインターフェースとしては上記に限らず、ユーザー端末１が別のウェブページにアクセスして実行することとしても良い。例えば、ＵＲＬを指定して入金処理を実行することが可能なインターフェースを提供することとしても良い。
【００３４】
図３は、ユーザー端末１のブラウザに表示される画面（ページＦ１）の説明図である。この説明図に示すように、検索条件を指定するキーワードの入力欄、並び替え方法を指定するボタンなどが用意されている。なお、実際には、検索結果を表示するための情報掲載エリアも存在するが、この図３では記載を省略している。
【００３５】
並び替え方法を指定するボタンとしては、図３に示したように、ウェブページの更新順すなわち情報の新しい順、アクセス数の多い順すなわち人気順などの他にも、ページタイトルの順、ページが言及する地理的位置の順、ページが設置されたサーバーと検索者のアクセス地点の距離の近い順等が考えられ、どの方法を提供するかは検索および広告配信サービスを行うサイト管理者によって選択される。こうして図３に示した以外の並び替え方法を選択した場合においても、図３と同様に並び替え方法を指定するボタンをページＦ１に設ければ良い。
【００３６】
このページＦ１において、検索者が知りたい情報に関係するキーワードを入力して検索実行ボタンを押すか、希望する並び替え方法を指定するボタンを押すと、検索条件としての検索キーワード及び並び替え方法が情報管理サーバー３に送られる。なお、検索者がキーワードの入力や並び替え方法を指定する代わりに、予め用意された別ページ上のリンクをクリックすることとしても良い。すなわち、このリンクに予めキーワードと並び替え方法との組み合わせを関連付けておき、このリンクをクリックすることにより、ページＦ１が取得されるとともに、自動的にキーワードと並び替え方法とが決定され、決定されたキーワードと並び替え方法とが情報管理サーバー３に送信されることとしても良い。
【００３７】
次に、図１２を参照しつつ、情報管理サーバー３における検索結果の作成手順について説明する。
【００３８】
情報管理サーバー３はユーザー端末１からの要求を受け取ると、データベース４に保存されているレコード情報のリストＤ１を走査し、指定されたキーワードと一致するあるいは指定されたキーワードを含むレコード情報を抽出し、指定された並び替え方法で並び替えた第１の情報リストＬ１（以下、リストＬ１という）（図１２（ａ）参照）を作成する。
【００３９】
一方で抽出されたレコード情報に入金処理が行われたレコード情報がある場合、その入金額の大きい順に並べた第２の情報リストＬ２（以下、リストＬ２という）（図１２（ｂ）参照）を作成する。
【００４０】
そして、前述のリスト１にリスト２の優位度に関する情報を付加して情報リストＬ３（以下、リストＬ３という）（図１２（ｃ）参照）を作成し、この情報リストＬ３を検索結果リストとして、ユーザー端末１に送る。
【００４１】
ユーザー端末１は情報管理サーバー３から受け取った情報リストＬ３に基づき、レコード情報の表示位置と強調度合の表現属性値とを計算し、表示リストＬ４（以下、リストＬ４という）（図１２（ｄ）参照）を作成し、この表示リストＬ４に記述された位置及び表示属性に従って表示を行う。具体的には、並び替えた順序に従って表示位置が決定され、入金額の多寡によって強調度合が決定されることとなる。
【００４２】
ここで、強調度合の表現属性としては、表示領域の大きさ、文字色の濃淡、背景色の濃淡、文字色と背景色のコントラストの強弱、表示文字の大きさ、などが考えられる。これらの強調表示の手法は単独または組み合わせて用いることが可能である。例えば、図１４に示すように、面積で視覚的な優位性を持たせるようにしても良いし、色覚的に目立つようにして優位性を持たせるようにしても良い。
【００４３】
本実施例においては、表示領域の大きさで強調表示を行っているため、以下説明する。
【００４４】
本実施例では、レコード情報の表示領域は２次元的空間を矩形で分割したものとして構成される。図４（ａ）（ｂ）は掲載エリアａが各レコード情報の表示領域ｂとして配分された状態を表す例である。各レコード情報の表示領域ｂには、検索結果としての情報テキスト又は画像が表示される。
【００４５】
図４（ａ）（ｂ）は、いずれも図１２（ｄ）で示される情報を表示した例であり、図４（ａ）においては、表示領域ｂ中の文字は図１２（ｄ）中の「表示位置」を示しており、図４（ｂ）においては、表示領域ｂ中の文字は図１２（ｄ）中の「情報ＩＤ」を示している。
【００４６】
この図４が示すように、各レコード情報の表示領域ｂは、並び替えた順序に従って、左から右へ配置され、右端に至ったら下段へ移動して、再度左から右へ配置されるようになっている。
【００４７】
また、この実施例では、見た目の美しさを保つために、となりあう表示領域ｂの間には等間隔の隙間を入れるようになっている。
【００４８】
なお、表示する内容物が画像の場合、表示領域ｂの大きさを変動させることにより強調表示を行うこととすると、その変動のさせ方によっては縦横比率が変わってしまい、意図したような画像とならない場合があり得る。この問題を避けるためには大きさごとに画像データを準備することも考えられるが、本実施例においては、コストを抑えるため、使用する画像は１つあるいは数個とし、表示時に画像の拡縮を行うこととしている。なお、オリジナルの画像と表示領域ｂとの縦横比が極端に異なる場合、画像の拡縮時に縦横比を変えないとすると画像の外側に隙間が生じ、逆に隙間を生じさせないように表示領域ｂにあわせると画像が縦あるいは横方向に伸びてしまう。このため、広告用の画像は縦横サイズを統一し、表示領域ｂと縦横比が極端に異ならないようにすることが望ましい。
【００４９】
図５は、掲載エリアａのグリッド図である。この図５が示すように、掲載エリアａ内には、表示領域ｂの位置決めを正確に行うために、予め最小の表示領域ｂと同じサイズのセルｇを敷き詰めた仮想グリッドを用意している。
【００５０】
この実施例においては、各セルｇに掲載エリアａ内におけるセルｇの横位置と縦位置とを定義する座標（１，１）、（１，２）、・・・・（８，８）、（８，９）が付与されている。この仮想グリッドの横方向のセルｇの数は検索及び広告配信サービスの提供者が定義し、ファイルＦ１に記述され（本施行例では、８個）横幅は固定される。縦方向の数は掲載する情報の個数や表示される表示領域ｂの組み合わせ状況により異なり、縦幅は可変としても良いし、スクロールを行う等により固定コマとしても良い。
【００５１】
位置決めの基本は、前述したように、リストＬ４の表示順に沿って、左上から右下に向かって表示領域ｂを配置することである。
【００５２】
本実施例では表示領域ｂの表示サイズは４段階に設定し、セルｇのサイズをサイズ１とし、サイズ２はサイズ１の２倍（面積は４倍）、サイズ３はサイズ１の３倍（面積は９倍）、サイズ４はサイズ１の４倍（面積は１６倍）とした。ユーザー端末１のブラウザプログラムがウェブサーバー２から受け取ったファイルＦ１中にＪａｖａＳｃｒｉｐｔ(登録商標)で記述されるプログラムは、情報管理サーバー３から受け取ったリストＬ３の優位度の順にサイズを割り振り、中間リストＬ３ｂを作成する（図１３参照）。本実施例では入金処理が実行されたレコード情報には、その入金額に応じてサイズ２から４を割り振り、入金処理が実行されていないレコード情報に対しては、サイズ１を割り振っている。
【００５３】
次に、図６を参照しながら、表示順とサイズが記述されたリストＬ３ｂに従い、各レコード情報の表示領域ｂを配置する手順について説明する。
【００５４】
基本的には、図６（ａ）に示すように、最上段から順番に、行の上のラインを揃えて、左から右へ向かってセルを割り当てる。
【００５５】
このため、図６（ｂ）に示すように、１行が全て同じ大きさの場合は左から右へ同じ大きさの表示領域ｂが並ぶことになる。
【００５６】
しかしながら、図６（ｃ）に示すように、１行に異なる大きさの表示領域ｂが存在する場合は、１行内の最大高さはその行内に現れる最大のサイズの高さとなる。
【００５７】
すなわち、図６（ｄ）に示すように、１行内の配置処理でより大きなサイズの表示領域ｂが配置されることになった場合、図６（ｃ）に示すように、同じ行に配置済みの表示領域ｂを再編成して配置する。具体的には、行の最大高さを大きなサイズの表示領域ｂの高さに設定し、その最大高さの範囲で可能な限り、より小さな表示領域ｂを表示順に従い上から下方向に配置するようにする。
【００５８】
そして、右方向に配置が不可能になった時点で１行の処理を終了し、次の行の左端から同様に処理を行い、表示リスト全てに対して位置を決定し、位置座標を埋めたリストＬ４（図１２（ｄ）参照）を作成する。
【００５９】
リストＬ４には、掲載エリアａにおけるレコード情報の表示順、表示位置が指定されているので、このリストＬ４に基づいて、表示領域ｂが掲載エリアａに配置されると、表示順１の情報ＩＤ「ち」は表示位置の座標が（１，１）で表示サイズが「２」なので、図７（ａ）に示すように、掲載エリアａの左上の４つのセルを使用して配置される。また、表示順２の情報ＩＤ「こ」は表示位置の座標が（３，１）で表示サイズが「１」なので、情報ＩＤ「ち」の右隣の最上段の１つのセル上に配置される。このように、リストＬ４に記載された表示位置の座標と表示サイズに基づいて表示領域ｂが掲載エリアａに配置されるようになっている。
【００６０】
図７（ｂ）は、図７（ａ）と検索条件は同じで並び替えの方法が異なる検索を実行した場合の表示例である。この２つの図を見ても分かるように、並び順は異なっているものの、同じレコード情報に割り当てられる表示領域ｂのサイズは同一であり、表示順の変更が強調表示の表現属性に影響を与えないこととなっている。
【００６１】
図７（ｃ）は、図７（ａ）と検索条件が異なり、並び替えの方法が同じ検索を実行した場合の表示例である。この場合においては、検索条件の変更により抽出されたリストが変わるが、これにより強調表示の表示属性に影響が発生している。すなわち、この図７（ｃ）では、図７（ａ）においてはサイズ2であった情報ＩＤ「す」にはサイズ4が、サイズ2であった情報ＩＤ「つ」にはサイズ3が割り当てられることとなっている。すなわち、本実施例においては、表示領域ｂの大きさをユーザー端末１で決定することとしており、表示領域ｂの大きさが検索結果内での入金額の相対比率で決定されることとしているため、検索結果によって表示領域ｂの大きさが変更される場合がある。
【００６２】
このように、本実施例によれば、入金処理が実行されているか否かにかかわらず、レコード情報を並び替えることができるようになっており、すなわち一般情報と広告的情報との両方の情報を区別せずにソートして並び替えることができるようになっている。
【００６３】
なお、上記の実施例では、掲載エリアａになるべく隙間を作らないように表示領域ｂを配置することとしたが、これに限らない。すなわち、隙間調整をせず一行内では表示領域ｂの上辺あるいは下辺あるいは中心を揃えて並べる方法、横方向一行に並べる方法、縦方向一列に並べる方法、曲線上に並べる方法など、様々な方法が考えられ、表示順位が視覚的に認識できる方法であれば良い。
【００６４】
また、上記の実施例では、表示する内容物が画像であることを考慮し、縦横比が同じまたはほぼ同じとなるように設定しているが、表示する内容物が画像でない場合は表示領域ｂの縦横比がそれぞれ異なっても問題が生じにくい。例えば、図８に示すように、縦1列で表示順に従って並べ、各行の高さを強調度合に応じて設定することとしても良い。
【００６５】
また、強調表示の方法としては、図９に示すように、文字色／背景色の濃さやコントラストを用いても良い。すなわち、図９（ａ）は文字色に変化をつけた例であり、背景色が白の場合、優先度の最高値の文字色を黒１００％、最低値の文字色を黒１０％とし、各強調度合に色値を割り当てた例である。図９（ｂ）は背景色に変化をつけた例であり、文字色が白の場合、優先の最高値の背景色を黒１００％、最低値の背景色を黒１０％とし、各強調度合に色値を割り当てた例である。
【００６６】
また、上記した実施例においては、レコード情報の表示領域ｂについて、掲載エリアａ内における位置及び強調度合の表示属性値の決定を行うのは、ユーザー端末１であるとしたが、これに限らない。すなわち、これを情報管理サーバー３やウェブサーバー２で決定することとしても良い。以下、両者を対比して説明する。
【００６７】
まず、ユーザー端末１側で位置及び優位性の表示属性値を計算する場合（以下「方式１
」という）、情報管理サーバー３からユーザー端末１が受け取るリストは「表示順」「情報ＩＤ」及び「優位度」設定されたリストＬ３に表示に関係する他の情報、例えば表示する画像のＵＲＬ、表示テキスト、リンク先のＵＲＬなどを付加したものである。
【００６８】
一方、情報管理サーバー３で位置及び優位性の表示属性値を計算する場合（以下「方式２」という）、ユーザー端末１の受け取るリストは「表示順」「情報ＩＤ」「表示位置」及び「表示サイズ」等の協調度合の表示属性値を設定したリストＬ４に「方式１」の説明で挙げた表示に関係する他の情報を付加したものである。
【００６９】
まず、再び図１を参照しながら「方式１」の流れについて説明すると、ＪａｖａＳｃｒｉｐｔ(登録商標)で記述されたレコード情報の表示プログラムを埋め込んだウェブページＦ１をウェブサーバー２に置き、ユーザー端末１はブラウザを通じてウェブサーバー２に接続し（ａ１０１）、ウェブページＦ１を要求する。ユーザー端末１はウェブサーバー２から送られたウェブページＦ１を受け取ると（ａ２０１）、ユーザー端末１のブラウザはウェブページＦ１の表示を行う。その際に埋め込まれたレコード情報の表示プログラムに従い、情報管理サーバー３に接続する（ｂ１０１）。
【００７０】
ユーザー端末１から情報管理サーバー３に接続した際に、キーワード、並び替え方法、表示数などを指示する。
【００７１】
情報管理サーバー３は指示されたキーワード、並びの方法、表示数などの条件に基づいてデータベース４を検索し、指示された並び替え条件（例えばクリック数）に基づいて並び替えた表示情報リストＬ１を得る。
【００７２】
さらに情報管理サーバー３はデータベース４を検索し、入金額の高い順に並び替えて優位度を割り振った表示リストＬ２を作成し、リストＬ１にリスト２で割り振った優位度を組み込んだ表示リストＬ３を作成し、ユーザー端末１に返す（ｂ２０１）。
【００７３】
ユーザー端末１のブラウザはリストＬ３に記述された表示順と優位度を元に、表示位置とレコード情報の表示プログラムで指定された強調度合の表現属性値を計算して表示リストＬ４を作成し、Ｌ４に基づきレコード情報をウェブブラウザの掲載エリアに表示する。
【００７４】
レコード情報に画像が含まれる場合は指示される画像を保持するサーバーに要求し、画像データを受け取る。図６の例では情報管理サーバー３に保持されているものとし、情報管理サーバー３から画像データを受け取る（ｂ２０２）。
【００７５】
次に図１０を参照しながら「方式２」の流れについて説明すると、レコード情報掲載エリアが含まれるページ作成用のプログラムＰ１をウェブサーバー２に置き、ユーザー端末１上で動作するウェブブラウザがウェブサーバー２にアクセスしてプログラムＰ１の実行を要求する（ａ１０１）。ユーザー端末１は要求の際に検索キーワード、検索結果の並び替え方法、表示数などの条件をウェブサーバー２のプログラムＰ１に指示する。
【００７６】
ウェブサーバー２はプログラムＰ１を実行し、情報管理サーバー３に接続して表示用のリストを要求する（ｃ１０１）。要求の際、ユーザー端末１からの支持を与える。
【００７７】
情報管理サーバー３は方式１と同様にデータベース４を検索し、表示情報リストＬ３をウェブサーバー２に返す。
【００７８】
ウェブサーバー２は情報管理サーバー３から受け取った表示情報リストＬ３に基づき、レコード情報の表示位置と強調度合の表現属性値とを計算し、表示リストＬ４を作成し、表示リストＬ４をＪａｖａＳｃｒｉｐｔ(登録商標)の記述で埋め込んだページＦ２を作成し、ユーザー端末１のウェブブラウザに返す（ａ２０１）。
【００７９】
ユーザー端末１は受け取ったページＦ２をブラウザに表示する。その際に画像の表示の指示がされている場合は情報管理サーバー３に要求し（ｂ１０１）、情報管理サーバー３から画像を受け取り（ｂ２０１）、「方式１」と同様に、表示リストＬ４の表示位置と強調度合の表現属性値とに従ってレコード情報を表示する。この例では表示用画像の置き場所を情報管理サーバー３と仮定して説明したが、ウェブサーバー２またはインターネットに接続された任意のサーバー上のいずれでも良い。
【００８０】
なお、上記した「方式２」では、ウェブサーバー２がレコード情報の表示位置と強調度合の表現属性値とを計算するとしたが、これを情報管理サーバー３で計算しても良い。
【００８１】
また、強調度合の算出に際し、検索結果内での入金額の相対比率を使用するのではなく、データベース４に蓄積された全データ内での入金額の相対比率を使用して算出しても良いし、入金額の範囲に応じて絶対数値的に強調度合を算出しても良い。
【００８２】
さらに「方式２」が受け取るページの別の形態として、上述のＪａｖａＳｃｒｉｐｔ(登録商標)記述で予定された計算をウェブサーバー２上で行い、ＪａｖａＳｃｒｉｐｔ(登録商標)記述を含めずに最終的な表示位置と表示属性が指示されたＨＴＭＬ記述を受け取るものがあり、ＪａｖａＳｃｒｉｐｔ(登録商標)の実行を行うことができないウェブブラウザにおいても本発明のレコード情報の表示を行うことが可能である。
【００８３】
更には、図１１に示すように、「方式１」と「方式２」とを混在させることとしても良い。
【００８４】
また、上記した実施形態では、ブラウザ上の情報掲載エリアに情報テキストを表示することとしているが、これに限らない。すなわち、情報テキストとともに、または、情報テキストに代えて、ウェブページのスクリーンショット画像（サムネール画像が望ましい）、バナー広告、または情報テキストに関係する任意の画像を表示することとしても良い。
【００８５】
また、上記した実施形態では、レコード情報のリストＤ１は、インターネット上のウェブページから機械的に抽出され、またはシステムが用意する登録ツールによって任意のユーザーが登録した、または検索及び広告配信サービスの提供者が登録した情報であるとしたが、これに限らない。例えば、サービス提供者による登録を行わないこととしても良いし、ユーザーによる登録を認めないこととしても良い。このように登録方法を限定すれば、システムをシンプルにすることができ、管理容易とすることもできる。
【符号の説明】
【００８６】
１      ユーザー端末
２      ウェブサーバー
３      情報管理サーバー
４      データベース
ａ      掲載エリア
ｂ      レコード情報の表示領域
Ｆ１    ウェブサーバーに配置されるウェブページ
Ｆ２    ウェブサーバーにより生成されるウェブページ
Ｐ１    ウェブサーバーに配置されるプログラム
Ｄ１    データベースに保存されたレコード情報
Ｌ１    表示順のレコード情報のリスト
Ｌ２    入金額で優位度をつけられたレコード情報のリスト
Ｌ３    Ｌ１とＬ２をマージしたリスト
Ｌ４    表示位置と表示属性を割り当てたレコード情報のリスト
Ｌ３ｂ  Ｌ３を元にＬ４を作成する中間データ
【図１】
0005486947.tif 000002
【図２】
0005486947.tif 000003
【図３】
0005486947.tif 000004
【図４】
0005486947.tif 000005
【図５】
0005486947.tif 000006
【図６】
0005486947.tif 000007
【図７】
0005486947.tif 000008
【図８】
0005486947.tif 000009
【図９】
0005486947.tif 000010
【図１０】
0005486947.tif 000011
【図１１】
0005486947.tif 000012
【図１２】
0005486947.tif 000013
【図１３】
0005486947.tif 000014
【図１４】
0005486947.tif 000015